(57)【要約】      （修正有）【課題】軽量性および組み立て容易性を維持しつつ、従来のものと比較して高い強度を実現可能な構造物を提供する。【解決手段】土台部２の上に配設されるペデスタルと、中空でペデスタルの凸部に嵌合される支柱３と、支柱に配設される壁板ユニットとを有し、支柱は、中空の本体部と、本体部の四隅より突出した突起部と、を有し、本体部の外側面と突起部とで略コの字状の溝を形成しており、壁板ユニットは、縦框４と、下方横框５と、上方横框６と、横桟７と、縦框と横桟と下方横框との間に形成される空間に配設される第１の壁板８と、縦框と横桟と上方横框との間に形成される空間に配設される第２の壁板８とからなり、１つの支柱と１つの壁板ユニットをセットとし、複数のセットが土台部の上に時計回り又は反時計回りに順次に配設されている。【選択図】図１
0003224823.tif 000002
【実用新案登録請求の範囲】
【請求項１】
土台部の上に配設されるペデスタルと、
中空で、前記ペデスタルの凸部に嵌合される支柱と、
前記支柱に配設される壁板ユニットと、を有し、
前記支柱は、中空の本体部と、前記本体部の四隅より突出した突起部と、を有し、前記本体部の外側面と前記突起部とで略コの字状の溝を形成しており、
前記壁板ユニットは、縦框と、下方横框と、上方横框と、横桟と、前記縦框と前記横桟と前記下方横框との間に形成される空間に配設される第１の壁板と、前記縦框と前記横桟と前記上方横框との間に形成される空間に配設される第２の壁板と、からなり、
前記１つの支柱と前記１つの壁板ユニットをセットとし、複数のセットが前記土台部の上に時計回り又は反時計回りに順次に配設される
構造物。
【請求項２】
前記壁板ユニットは、補強フレームを更に備え、
前記支柱の前記略コの字状の溝において、前記壁板ユニットの前記補強フレーム及び前記横框がボルトにより固定される
請求項１に記載の構造物。
【請求項３】
前記土台部には、基礎がアンカーボルトにより配設されており、
前記ペデスタルは、前記基礎にボルトにより固定されており、
一の壁板ユニットが他の壁板ユニットと前記支柱を介してＬ字状に連続する部分では、前記ペデスタルが４箇所、前記ボルトにより固定され、
一の壁板ユニットが他の壁板ユニットと前記支柱を介して直線状に連続する部分では、前記ペデスタルが、２箇所、前記ボルトにより固定されている
請求項１又は請求項２に記載の構造物。
【請求項４】
前記支柱の間に装着されたドアユニットを更に備える
請求項１乃至請求項３のいずれか１項に記載の構造物。
【請求項５】
前記支柱から延出したフレームに固定される昇降用ハシゴを更に備える
請求項１乃至請求項４のいずれか１項に記載の構造物。
【考案の詳細な説明】
【技術分野】
【０００１】
本考案は、支柱により支持される構造物に関する。
【背景技術】
【０００２】
従来、支柱により支持される構造物の強度を高めるための技術として、断面が矩形の支柱の互いに対向する２つの外側面に対し、補強プレートをボルト等により固定させる技術が提案されている（例えば、特許文献１および特許文献２等参照）。
【先行技術文献】
【特許文献】
【０００３】
【特許文献１】特開平０６−２１２７０５号公報
【特許文献２】特開平０６−２２９０６７号公報
【考案の概要】
【考案が解決しようとする課題】
【０００４】
電話ボックスや樋門ハウス、喫煙ルーム、及び休憩ルーム等のように、屋外もしくは屋内において外部の空間から隔離された空間を作り出すための構造物があるが、これら構造物においては、主としてコスト削減の理由から、軽量かつ組み立て容易な構造の採用が望まれている。
【０００５】
構造物全体の軽量化を図るためには、構造物を支持する支柱を含む骨組みの軽量化が必要不可欠であるが、特段の工夫なく骨組みを軽量化すれば、構造物の強度は低下してしまう。近年では、耐震性に関する安全基準の引き上げ等の理由により、構造物に求められる強度の水準も高くなっているので、その対応も不可避である。
【０００６】
本考案は、このような課題に鑑みてなされたものであり、その目的とするところは、軽量性および組み立て容易性を維持しつつ、従来のものと比較して高い強度を実現可能な構造物を提供することにある。
【課題を解決するための手段】
【０００７】
上記課題を解決するために、本考案の一態様に係る構造物は、土台部の上に配設されるペデスタルと、中空で、前記ペデスタルの凸部に嵌合される支柱と、前記支柱に配設される壁板ユニットと、を有し、前記支柱は、中空の本体部と、前記本体部の四隅より突出した突起部と、を有し、前記本体部の外側面と前記突起部とで略コの字状の溝を形成しており、前記壁板ユニットは、縦框と、下方横框と、上方横框と、横桟と、前記縦框と前記横桟と前記下方横框との間に形成される空間に配設される第１の壁板と、前記縦框と前記横桟と前記上方横框との間に形成される空間に配設される第２の壁板と、からなり、前記１つの支柱と前記１つの壁板ユニットをセットとし、複数のセットが前記土台部の上に時計回り又は反時計回りに順次に配設されている。
【０００８】
この態様において、前記壁板ユニットは、補強フレームを更に備え、前記支柱の前記略コの字状の溝において、前記壁板ユニットの前記補強フレーム及び前記横框がボルトにより固定されてよい。
【０００９】
さらに、前記土台部には、基礎がアンカーボルトにより配設されており、前記ペデスタルは、前記基礎にボルトにより固定されており、一の壁板ユニットが他の壁板ユニットと前記支柱を介してＬ字状に連続する部分では、前記ペデスタルが４箇所、前記ボルトにより固定され、一の壁板ユニットが他の壁板ユニットと前記支柱を介して直線状に連続する部分では、前記ペデスタルが、２箇所、前記ボルトにより固定されていてよい。
【００１０】
さらに、前記支柱の間に装着されたドアユニットを更に備えてよい。
【００１１】
さらに、前記支柱から延出したフレームに固定される昇降用ハシゴを更に備えてよい。
【考案の効果】
【００１２】
本考案によれば、軽量性および組み立て容易性を維持しつつ、従来のものと比較して高い強度を実現可能な構造物を提供することができる。
【図面の簡単な説明】
【００１３】
【図１】本考案の実施形態に係る構造物の構成図である。
【図２】ペデスタルへの支柱、及び壁板ユニットの装着状態を示す図である。
【図３】ペデスタルへの支柱、及び壁板ユニットの装着状態を示す図である。
【図４】ペデスタルへの支柱、及び壁板ユニットの装着状態を示す図である。
【考案を実施するための形態】
【００１４】
以下、図面を参照しつつ本考案の一実施形態について説明する。
【００１５】
図１（ａ）乃至図１（ｃ）には、本考案の実施形態に係る構造物の構成を示し説明する。より詳細には、図１（ａ）には同構造物の正面図、図１（ｂ）には同構造物の背面図、図１（ｃ）には同構造物の側面図を示し、説明する。
【００１６】
これらの図に示されるように、構造物１は、屋内もしくは屋外に設置される樋門ハウス等であり、まず床を形成する土台部２を備えている。土台部２の上面に形成される床の上には、長手方向が鉛直方向となるように載置された複数の支柱３が土台部２に対し固定されている。支柱３ の右側面および左側面には各々、長手方向が鉛直方向となるように配置された縦框４が支柱３に寄り添うように取り付けられている。なお、図１（ａ）乃至１（ｃ）では、縦框４は支柱３と一体表示され、図示が簡略化されている。
【００１７】
互いに間隔をおいて隣接する２本の支柱３の各々の下端部の間には、長手方向が水平方向となるように下方横框５が配置されている。同様に、２本の支柱３の各々の上端部の間には、長手方向が水平方向となるように上方横框６が配置されている。なお、支柱３およびそれに取り付けられた縦框４、下方横框５および上方横框６により構成される矩形の枠（以下、「壁面枠」と称する）の四隅の各々には不図示の補強プレートが取り付けられている。この補強プレートによれば、例えば壁面枠の水平方向の歪みが抑制され、支柱３が鉛直方向の位置を保つことができ、ひいては、支柱３の耐荷重能力が維持される。
【００１８】
互いに対向する２本の縦框４の間には、横桟７が配置されている。横桟７は、例えばボルトによる締め付けにより縦框４に対し固定されている。横桟７は、壁面枠の強度をさらに高めるとともに、壁面枠の内側の領域を複数の区画に分割することで、それらの区画に配置される壁板８の各々の面積を小さくして、壁板８の撓みや強度不足を回避する役割を担う。
【００１９】
壁面枠の内側の領域には、横桟７により区分された各々の区画に関し壁板８が取り付けられている。壁板８は、例えばその外縁において接する下方横框５又は上方横框６と、縦框４と、横桟７とに設けられた溝に対し嵌め込まれることにより、壁面枠に対し固定されている。このように壁板８の取り付けられた壁面枠が構造物１の壁面を構成する。壁板８は、この例では、アルミ板により構成されているが、このほか、例えば透明もしくは半透明なガラス板や、透明もしくは不透明な板等を採用してもよいことは勿論である。
【００２０】
図１（ａ）に示されるように、中央付近左右に配置された２本の支柱３の間には、ユーザが出入りする際に開閉されるドアユニット９が配置されている。また、壁面の上には羽目板により構成された屋根１０が載置されており、例えば支柱３に対し固定されている。屋根１０には、換気部１１が配設されている。また、２本の支柱３に固定され延出したフレーム１２には、昇降用ハシゴ１３が配設されており、昇降用ハシゴ１３の上部には、雨量計１４が配設されている。また、昇降用ハシゴ１３の部外者による不正利用を防止するために、当該昇降用ハシゴ１３には、昇降禁止扉１５が配設されている。このほか、構造物１の背面には、壁板８の上部に有圧換気扇１６も配設されている。
【００２１】
ここで、図２を参照して、本考案の実施形態に係る構造物における、ペデスタルへの支柱、及び壁板ユニットの装着について説明する。ここでは、縦框４と、横桟７、下方横框５、上方横框６、及び壁板８からなるユニットを、壁板ユニットと称し、説明する。
【００２２】
図２に示されるように、土台部２の上には、支柱３を配置する位置に、予めペデスタルが配置されており、支柱３の下方開口部を、ペデスタルの凸部に嵌合させることで、支柱３が当該ペデスタルの上に配設される。本実施形態では、１つの壁板ユニット２０の一方の側縁に支柱３を取付けて、それを１つの単位として、土台部２の上に、順次、支柱３と壁板ユニット２０の各単位を配設していくことで、構造物１の壁を形成する。
【００２３】
より詳細には、先ず、土台部２の上のペデスタルに支柱３Ａと壁板ユニット２０Ａからなるセットを配設し、続いて、壁板ユニット２０Ａの支柱３Ａの配設側とは反対の側縁に連続するように、支柱３Ｂと壁板ユニット２０Ｂからなるセットを配設する。続いて、壁板ユニット２０Ｂの支柱３Ｂの配設側とは反対の側縁に連続するように、支柱３Ｃと壁板ユニット２０Ｃからなるセットを配設する。続いて、壁板ユニット２０Ｃの支柱３Ｃの配設側とは反対の側縁に連続するように、支柱３Ｄと壁板ユニット２０Ｄからなるセットを配設する。続いて、壁板ユニット２０Ｄの支柱３Ｄの配設側とは反対の側縁に連続するように、支柱３Ｅと壁板ユニット２０Ｅからなるセットを配設する。続いて、壁板ユニット２０Ｅの支柱３Ｅの配設側とは反対の側縁に連続するように、支柱３Ｆと壁板ユニット２０Ｆからなるセットを配設する。続いて、壁板ユニット２０Ｆの支柱３Ｆの配設側とは反対の側縁に連続するように、支柱３Ｇと壁板ユニット２０Ｇからなるセットを配設する。続いて、壁板ユニット２０Ｇの支柱３Ｇの配設側とは反対の側縁に連続するように、支柱３Ｈと壁板ユニット２０Ｈからなるセットを配設する。続いて、壁板ユニット２０Ｈの支柱３Ｈの配設側とは反対の側縁に連続するように、支柱３Ｉと壁板ユニット２０Ｉからなるセットを配設する。続いて、壁板ユニット２０Ｉの支柱３Ｉの配設側とは反対の側縁に連続するように、支柱３Ｊと壁板ユニット２０Ｊからなるセットを配設する。続いて、壁板ユニット２０Ｊの支柱３Ｊの配設側とは反対の側縁に連続するように、支柱３Ｋと壁板ユニット２０Ｋと支柱３Ｌからなるセットを配設する。そして、最後に、支柱３Ａと支柱３Ｌの間にドアユニット９を配設すればよい。
【００２４】
このように、支柱３と壁板ユニット２０のセットを、上方から見たときに時計回り又は反時計回りに準備配設するだけで、構造物１の壁を簡易に形成することができる。
【００２５】
以下、図３及び図４を参照して、本考案の実施形態に係る構造物における、ペデスタルへの支柱、及び壁板ユニットの装着について更に詳細に説明する。より詳細には、図３（ａ）はＬ字状の装着状態を上方から見た図、図３（ｂ）はＬ字状の装着状態を側方から見た断面図である。同様に、図４（ａ）は直線状の装着状態を上方から見た図、図４（ｂ）は直線状の装着状態を側方から見た断面図である。
【００２６】
これらの図に示されるように、土台部２には、基礎１００が、アンカーボルト１０１により固定されている。この基礎１００の上には、ペデスタル１０２が、ボルト１０３により固定されている。図３（ａ）、図３（ｂ）の例では、ペデスタル１０２が４カ所でボルト１０３により基礎１００に固定されており、図４（ａ）、図４（ｂ）の例では、ペデスタル１０２が２カ所でボルト１０３により基礎１００に固定されている。
【００２７】
各ペデスタル１０２は、その中央部に上方に突出した凸部を有しており、この凸部に支柱３の下方開口部が嵌合され、壁板ユニットの不図示の補強プレート等を介して、特殊ボルト１０４により固定されるようになっている。
【００２８】
そして、支柱３の長手方向に垂直な断面の形状は、中空の矩形と、その矩形の４つの角部の各々から外方向に突起するように延伸する概ね二等辺三角形状の突起（合計４つ）とから成る。すなわち、支柱３は、断面が中空の矩形の管状体である本体部３ａと、その本体部３ａの外面に形作られる４本の稜線部分に各々配置された概ね二等辺三角柱状体である突起部３ｂ乃至３ｅとが一体に成形された部材である。
【００２９】
突起部３ｂ乃至３ｅの各々には、長手方向に貫通するとともに、長手方向に対し垂直方向にも開口部を有する円柱形状の中空部が設けられている。この中空部は、支柱３の軽量化および低コスト化に貢献するとともに、土台部２に対する支柱３の固定や、支柱３に対する屋根１０の固定等において、ボルト受けの孔としても利用され得る。支柱３の素材は例えばアルミニウムである。支柱３は中空であるため、軽量化および低コスト化が図られているが、突起部３ｂ乃至３ｅが設けられていることにより、突起部３ｂ乃至３ｅが設けられていない単なる矩形の管状体よりもその強度が高められている。
【００３０】
突起部３ｂ乃至３ｅは、上述のように支柱３の強度向上に貢献するだけでなく、本体部３ａとともに支柱３の外面に４本の溝を形成することで、支柱３に対する縦框７や不図示の補強プレートの嵌合を可能とする。
【００３１】
そして、本体部３ａの外面は、突起部３ｂと突起部３ｃに挟まれた部分である外側面３ａ−１と、突起部３ｃと突起部３ｄに挟まれた部分である外側面３ａ−２と、突起部３ｄと突起部３ｅに挟まれた部分である外側面３ａ−３と、突起部３ｅと突起部３ｂに挟まれた部分である外側面３ａ−４とを有する。
【００３２】
図３（ａ）、及び図３（ｂ）に示した例では、外側面３ａ−３と、その両側に位置する突起部３ｄ，３ｅは、突起部３ｄ，３ｅに設けられた中空部を無視すれば、断面が「コ」の字形状を示す溝を形成する。この溝に、壁板ユニット２０Ａが装着され、不図示の補強プレートや横框７を介して、特殊ボルトにより支柱３がペデスタルの突出部に固定される。同様に、外側面３ａ−２と、その両側に位置する突起部３ｃ，３ｄは、突起部３ｃ，３ｄに設けられた中空部を無視すれば、断面が「コ」の字形状を示す溝を形成する。この溝に壁板ユニット２０Ｂが装着され、不図示の補強プレートや横框７を介して、特殊ボルトにより支柱３がペデスタルの突出部に固定される。
【００３３】
一方、図４（ａ）、及び図４（ｂ）に示した例では、外側面３ａ−１と、その両側に位置する突起部３ｂ，３ｃは、突起部３ｂ，３ｃに設けられた中空部を無視すれば、断面が「コ」の字形状を示す溝を形成する。この溝に、壁板ユニット２０Ｃが装着され、不図示の補強プレートや横框７を介して、特殊ボルトにより支柱３がペデスタルの突出部に固定される。同様に、外側面３ａ−３と、その両側に位置する突起部３ｄ，３ｅは、突起部３ｄ，３ｅに設けられた中空部を無視すれば、断面が「コ」の字形状を示す溝を形成する。この溝に壁板ユニット２０Ｄが装着され、不図示の補強プレートや横框７を介して、特殊ボルトにより支柱３がペデスタルの突出部に固定される。
【００３４】
以上説明したように、本考案の実施形態の構造物では、例えば中間部材である縦框の長手方向を鉛直方向に向けて支柱の外表面に設けられた溝に対し水平方向に嵌め込み、横框の長手方向を水平方向に向けて縦框に取り付け、補強プレートの溝当接部を支柱の溝（横框および縦框を嵌合した溝に隣接する外表面に設けられた溝）に当接させて固定し、補強プレートの横框当接部を横框に当接させて固定することにより、容易に組み立て可能である。その組み立ての際、補強プレートの位置決めは、支柱の外表面に設けられた溝に対する嵌め合わせにより容易に行われ得る。
【００３５】
また、支柱に対し固定された補強プレートの溝当接部が支柱の外表面に設けられた溝に嵌合しているため、構造物の重量により補強プレートが支柱に対し水平方向にずれる等により構造物全体の強度が低下するという問題が生じることがない。その結果、補強プレートを備えない構造物と比較して、より高い強度を有する構造物が実現される。
【００３６】
さらに、本実施形態に係る構造物では、コスト削減および軽量化のため中空の管状体として形成された支柱の内側に、長手方向に垂直の断面が「コ」の字型もしくは「ロ」の字型の補強ブロックが当接するように配置されているため、支柱自体の強度がより高い。また、補強プレートが支柱の管壁を挟んで補強ブロックに対しボルト等により締め付けられているため、支柱に対する補強プレートの固定の強度も高い。
【００３７】
以上、本考案の実施形態について説明したが、本考案はこれに限定されることなくその趣旨を逸脱しない範囲で種々の改良・変更が可能であることは勿論である。
【００３８】
例えば、屋内もしくは屋外に設置される電話ボックスや樋門ハウス、休憩ルーム、及び喫煙ルーム等の簡易建造物において特に有用であって、建設業を含む様々な業種において利用され得ることは勿論である。
【符号の説明】
【００３９】
１…構造物
２…土台部
３…支柱
３ａ…本体部
３ａ−１〜３ａ−４…外側面
３ｂ〜３ｅ…突起部
４…縦框
５…下方横框
６…上方横框
７…横桟
８…壁板
９…ドアユニット
１０…屋根
１１…換気部
１２…フレーム
１３…昇降ハシゴ
１４…雨量計
１５…昇降禁止扉
１６…有圧換気扇
２０…壁板ユニット
【図１】
0003224823.tif 000003
【図２】
0003224823.tif 000004
【図３】
0003224823.tif 000005
【図４】
0003224823.tif 000006